(57)【特許請求の範囲】
【請求項１】
第１電話端末を収容する第１情報処理装置と、第２電話端末を収容する第２情報処理装置と、前記第１および第２情報処理装置が接続される情報ネットワークと、前記情報ネットワーク上にて前記第１情報処理装置と前記第２情報処理装置との間における呼接続手順に介在する第３情報処理装置と、を含むインターネット電話システムであって、
第１電話端末と第２電話端末との間の通信における呼接続手順中において、
前記第３情報処理装置は生成した認証キーを前記情報ネットワーク上のアドレス解決信号中に設定して前記第１および第２の情報処理装置の双方に送信し、
発信側の前記第１情報処理装置または第２情報処理装置は、前記第３情報処理装置から受信したアドレス解決信号から認証キーを取り出して呼接続信号中に設定して呼接続信号を着信側の前記第２情報処理装置または第１情報処理装置に送信し、
着信側の前記第２情報処理装置または第１情報処理装置は、前記第３情報処理装置から受信したアドレス解決信号および発信側の前記第１情報処理装置または第２情報処理装置から受信した呼接続信号の各々から認証キーを取り出し、それぞれの認証キーを照合して、一致した場合にのみ呼接続手順を継続し、不一致の場合は呼切断を行うことを特徴とするインターネット電話システム。
【請求項２】
第１電話端末を収容する第１情報処理装置と、第２電話端末を収容する第２情報処理装置と、前記第１および第２情報処理装置が接続される情報ネットワークと、前記情報ネットワーク上にて前記第１情報処理装置と前記第２情報処理装置との間における呼接続手順に介在する第３情報処理装置と、を含むインターネット電話システムであって、
第１電話端末と第２電話端末との間の通信における呼接続手順において、
前記第３情報処理装置は生成した第１認証キーを前記情報ネットワーク上のアドレス解決信号に設定して発信側の前記第１情報処理装置または第２の情報処理装置に送信し、
発信側の前記第１情報処理装置または第２情報処理装置は、前記第３情報処理装置から受信したアドレス解決信号から第１認証キーを取り出して呼接続信号に設定し、前記呼接続信号を着信側の前記第２情報処理装置または第１情報処理装置に送信し、
着信側の前記第２情報処理装置または第１情報処理装置は、前記第３情報処理装置で生成した認証キーと同一の手段で第２認証キーを生成し、該第２認証キーと発信側の前記第１情報処理装置または第２情報処理装置から受信した呼接続信号から取り出した前記第１認証キーを照合して、該両認証キーが一致した場合に呼接続手順を継続し、不一致の場合は呼切断を行うことを特徴とするインターネット電話システム。
【請求項３】
ＩＰ電話端末を収容してインターネット網に接続するＶｏＩＰゲートウェイとして機能する情報処理装置であって、
発信時の呼接続手順中にゲートキーパーから受信したアドレス解決信号から前記ゲートキーパーにて付加された認証キーを取り出して呼接続信号中に設定し、前記呼接続信号を着信側のメディアゲートウェイまたは他のＶｏＩＰゲートウェイに送信する第１の機能と、
着信時の呼接続手順中に前記ゲートキーパーから受信したアドレス解決信号から取り出した認証キーと、発信側のＶｏＩＰゲートウェイまたはメディアゲートウェイから受信した呼接続信号から取り出した認証キーとを照合することによって、前記ゲートキーパーを経ずに呼接続を行おうとする悪意呼を排除する第２の機能、
の少なくとも一方を含むことを特徴とする情報処理装置。
【請求項４】
公衆通信網を介して収容される一般電話端末をインターネット網に接続するメディアゲートウェイとして機能する情報処理装置であって、
発信時の呼接続手順中にゲートキーパーから受信したアドレス解決信号から前記ゲートキーパーにて付加された認証キーを取り出して呼接続信号中に設定し、前記呼接続信号を着信側のＶｏＩＰゲートウェイまたはメディアゲートウェイに送信する第１の機能と、
着信時の呼接続手順中に前記ゲートキーパーから受信したアドレス解決信号から取り出した認証キーと、発信側のＶｏＩＰゲートウェイまたはメディアゲートウェイから受信した呼接続信号から取り出した認証キーとを照合することによって、前記ゲートキーパーを経ずに呼接続を行おうとする悪意呼を排除する第２の機能、
の少なくとも一方を含むことを特徴とする情報処理装置。
【請求項５】
インターネット網上でＶｏＩＰゲートウェイおよびメディアゲートウェイに接続されることによって、ＩＰ電話システムの呼接続手順に介在するゲートキーパーとして機能する情報処理装置であって、
前記呼接続手順において、発信側のＶｏＩＰゲートウェイとして機能する情報処理装置またはメディアゲートウェイとして機能する情報処理装置、および受信側のメディアゲートウェイとして機能する情報処理装置またはＶｏＩＰゲートウェイとして機能する情報処理装置間の呼接続手順を継続するか否かを認証する認証キーを生成して、前記発信側のＶｏＩＰゲートウェイとして機能する情報処理装置またはメディアゲートウェイとして機能する情報処理装置、および前記受信側のメディアゲートウェイとして機能する情報処理装置またはＶｏＩＰゲートウェイとして機能する情報処理装置の双方に送信し、
前記受信側のメディアゲートウェイとして機能する情報処理装置またはＶｏＩＰゲートウェイとして機能する情報処理装置が、前記ゲートキーパーとして機能する情報処理装置からの認証キーと前記発信側のＶｏＩＰゲートウェイとして機能する情報処理装置またはメディアゲートウェイとして機能する情報処理装置からの認証キーを照合し、該両認証キーが一致した場合、前記発信側のＶｏＩＰゲートウェイとして機能する情報処理装置またはメディアゲートウェイとして機能する情報処理装置と前記受信側のメディアゲートウェイとして機能する情報処理装置またはＶｏＩＰゲートウェイとして機能する情報処理装置間の呼接続手順を継続することを特徴とする情報処理装置。
【発明の詳細な説明】
【０００１】
【発明の属する技術分野】
本発明は、インターネット電話技術および情報処理技術に関し、特にインターネット電話システムにおける悪意呼の排除等に適用して有効な技術に関する。
【０００２】
【従来の技術】
近年インターネットが急速に拡大し、インターネットは社会における情報インフラとして認知されている。通話コストの削減や各企業内における音声とデータの統合によるコスト削減の観点から企業のインフラとしてインターネット電話サービスが提供されている。インターネット内のＩＰ電話端末は、Ｈ．３２３、Ｈ．２２５ＲＡＳ手順等のプロトコルによって実現されている。インターネット内のＩＰ電話端末からの発信に際しては、ゲートキーパーにて発呼端末の認証、着電番から着信先メディアゲートウェイのＩＰアドレスへの変換（アドレス解決）を行った後、ＩＰ電話端末を収容するＶｏＩＰゲートウェイから呼接続信号をメディアゲートウェイに対して送信する事によって呼接続を行うことができる。
【０００３】
【発明が解決しようとする課題】
しかしながら上記従来技術の中において、ゲートキーパーとの通信機能を持たないＶｏＩＰゲートウェイのように自装置内にて着電番から着信先メディアゲートウェイへのアドレス解決を実現することができるＶｏＩＰゲートウェイについては、ゲートキーパーでの認証を経ずに直接着信先メディアゲートウェイに対して呼接続を行うことが可能である。特にゲートキーパーでの課金情報を収集している場合には、非課金での呼接続が可能となる。
【０００４】
本発明の目的は、インターネット電話システムにおける不正アクセス（悪意呼）の排除を実現することにある。
【０００５】
【課題を解決するための手段】
本発明では、ゲートキーパーを介して呼接続処理を行うインターネット電話システムにおいて、ゲートキーパーを経由しない呼接続をゲートウェイにて排除することで、通信回線の有限リソースを不正に使用できない仕組みを提供する。
【０００６】
より具体的には、一例として、ＩＰ電話端末からの発信時において、ゲートキーパーはＶｏＩＰゲートウェイからのアドレス解決要求信号を受信すると、認証・アドレス解決処理にて認証キーを生成し、前記認証キーを前記ＶｏＩＰゲートウェイ及び着信先メディアゲートウェイに送信するアドレス解決信号中に付加する。前記ＶｏＩＰゲートウェイは受信した前記アドレス解決信号中から認証キーを取り出して前記認証キーを呼接続信号中に付加して呼接続信号を前記メディアゲートウェイに送信する。前記メディアゲートウェイでは前記呼接続信号に付加されている認証キーと前記ゲートキーパーから受信したアドレス解決信号に付加されている認証キーを比較し、二つの認証キーが同一である場合にのみ呼接続手順を継続し、同一でない場合あるいは受信した呼接続信号に認証キーが付加されていない場合には呼接続手順を中断する。
【０００７】
以上の一連の動作により本発明の目的が達成される。
【０００８】
【発明の実施の形態】
以下、本発明の実施の形態を図面を参照しながら詳細に説明する。
【０００９】
図１は、本発明の一実施の形態であるインターネット電話システムの構成の一例を示す概念図である。
【００１０】
本実施の形態の場合、インターネット網１内にＶｏＩＰゲートウェイ３，メディアゲートウェイ４，ゲートキーパー５，ＩＰ電話端末６が存在する。
【００１１】
ＩＰ電話端末６からの発信の場合、ＩＰ電話端末６が発呼するとＩＰ電話端末６を収容するＶｏＩＰゲートウェイ３がゲートキーパー５に対してアドレス解決要求メッセージ（ＡＲＱ）を送信する。ゲートキーパー５がＡＲＱを受信すると、認証キーを生成し、アドレス解決メッセージ（ＡＣＦ）に認証キーを付与してＶｏＩＰゲートウェイ３にＡＣＦを送信する。また、同様のＡＣＦをメディアゲートウェイ４へ送信する。ゲートキーパー５からＡＣＦを受信したＶｏＩＰゲートウェイ３はメディアゲートウェイ４に対してＡＣＦに付与されている認証キーを呼設定信号に付与し、送信する。
【００１２】
メディアゲートウェイ４はゲートキーパー５からのＡＣＦと、ＶｏＩＰゲートウェイ３からの呼設定信号を両方受信した時点でメディアゲートウェイ４は認証キーの比較を行う。認証キーが同一であれば呼接続手順を継続する。
【００１３】
図３は、ゲートキーパー５からＶｏＩＰゲートウェイ３あるいは、メディアゲートウェイ４へ送信されるＡＣＦメッセージのフォーマットの一例である。ＡＣＦメッセージ内の“ｇｅｎｅｒｉｃＤａｔａ”の部分に認証キーを設定する。
【００１４】
図４は、ＶｏＩＰゲートウェイ３からメディアゲートウェイ４へ送信される呼設定信号メッセージのフォーマットの一例である。呼設定信号メッセージ内の“ｎｅｅｄｅｄＦｅａｔｕｒｅｓ”の部分に認証キーを設定する。
【００１５】
図５は、本実施の形態におけるメディアゲートウェイの機能ブロックの一例である。信号送受信部４１あるいは信号送受信部４２にて受信したインターネット網１および公衆通信網２からの信号は通信制御部４３にてメッセージ単位にまとめられメッセージ解析部４４にてメッセージの解析を行なう。
【００１６】
次に、メッセージ解析部４４での解析結果が呼処理制御用メッセージであった場合は呼処理制御部４７にて呼処理制御が実施され、メッセージ解析部４４での解析結果が音声データなどの通話中にエンド−エンドで送受信されるデータはデータ変換部４６にて送信先網用のデータに変換して通信制御部４３を経て対応する信号送受信部４１あるいは信号送受信部４２からインターネット網１側及び公衆通信網２側へとデータ送信する。
【００１７】
呼処理制御用メッセージを受け取った呼処理制御部４７は受信メッセージがＡＣＦあるいは呼設定信号である場合、受信メッセージ中から認証キーを抽出して認証キーを認証キー認証部４８へ送信し、認証キー認証部４８は１回目に認証キーを受け取った時は認証キーを保持してタイマ制御部４９に対してタイマ起動を行ない、起動したタイマがタイムアウトする前に２回目の認証キーを受け取った時はタイマ制御部４９に対してタイマ停止を行なった後に１回目に受け取った認証キーと２回目に受け取った認証キーを比較し、認証キーが一致した場合には呼処理制御部４７に対して呼接続処理の継続を促し、認証キーが不一致であった場合には呼接続処理の中止を指示する。認証キー認証部４８は２回目の認証キーを受け取る前にタイマ制御部４９からタイマのタイムアウト通知を受けると呼処理制御部４７に対して呼接続処理の中止を指示する。
【００１８】
呼処理制御部４７は認証キー認証部４８からの認証結果およびメッセージ解析部４４からの受信メッセージに応じて適切な送信メッセージをメッセージ作成部４５にて作成して通信制御部４３を経て対応する信号送受信部４１あるいは信号送受信部４２からインターネット網１側及び公衆通信網２側へとデータ送信する。
【００１９】
なお、メディアゲートウェイ４（一般電話端末７）側からの発信の場合、呼処理制御用メッセージを受け取った呼処理制御部４７は受信メッセージがＡＣＦである場合、受信メッセージ中から認証キーを抽出してメッセージ作成部４５にて認証キーを次に送信する呼設定信号メッセージ中の該当箇所に設定して通信制御部４３を経て対応する信号送受信部４１からインターネット網１側へとデータ送信する。
【００２０】
図６は、本実施の形態におけるＶｏＩＰゲートウェイの機能ブロックの一例である。信号送受信部３１あるいは信号送受信部３２にて受信したインターネット網１およびＩＰ電話端末６からの信号は通信制御部３３にてメッセージ単位にまとめられメッセージ解析部３４にてメッセージの解析を行なう。
【００２１】
次に、メッセージ解析部３４での解析結果が呼処理制御用メッセージであった場合は呼処理制御部３７にて呼処理制御が実施され、メッセージ解析部３４での解析結果が音声データなどの通話中にエンド−エンドで送受信されるデータはデータ変換部３６にて送信先網用のデータに変換して通信制御部３３を経て対応する信号送受信部３１あるいは信号送受信部３２からインターネット網１側及びＩＰ電話端末６側へとデータ送信する。
【００２２】
呼処理制御用メッセージを受け取った呼処理制御部３７は受信メッセージがＡＣＦである場合、受信メッセージ中から認証キーを抽出してメッセージ作成部３５にて認証キーを次に送信する呼設定信号メッセージ中の該当箇所に設定して通信制御部３３を経て対応する信号送受信部３１からインターネット網１側へとデータ送信する。
【００２３】
なお、ＶｏＩＰゲートウェイ３（ＩＰ電話端末６）側が着信側の場合には、呼処理制御用メッセージを受け取った呼処理制御部３７は受信メッセージがＡＣＦあるいは呼設定信号である場合、受信メッセージ中から認証キーを抽出して認証キーを認証キー認証部３８へ送信し、認証キー認証部３８は１回目に認証キーを受け取った時は認証キーを保持してタイマ制御部３９に対してタイマ起動を行ない、起動したタイマがタイムアウトする前に２回目の認証キーを受け取った時はタイマ制御部３９に対してタイマ停止を行なった後に１回目に受け取った認証キーと２回目に受け取った認証キーを比較し、認証キーが一致した場合には呼処理制御部３７に対して呼接続処理の継続を促し、認証キーが不一致であった場合には呼接続処理の中止を指示する。認証キー認証部３８は２回目の認証キーを受け取る前にタイマ制御部３９からタイマのタイムアウト通知を受けると呼処理制御部３７に対して呼接続処理の中止を指示する。
【００２４】
図７は、本実施の形態におけるゲートキーパーの機能ブロックの一例である。ゲートキーパー５は、ＵＮＩＸサーバまたはＰＣサーバ上のアプリケーションソフトウェアを組み込むことで実現され、回線入出力部５２、中央制御部５１、記憶部５３及びユーザインタフェース部５４を主要な構成要素としている。中央制御部５１は、サーバ上のＣＰＵ相当部分であり、内部に示した各ブロックはＣＰＵ上で実行されるソフトウェアの機能ブロックを示したものである。
【００２５】
基本制御部５１１は、ＯＳに該当する部分であり、各部とのインタフェースを実現するとともに５１２〜５１４に示すアプリケーションの実行制御を司る。またここでは、インターネット網１を介した通信に必要なＩＰ、ＵＤＰ、ＴＣＰといった基本的な通信プロトコルを実現している。回線入出力部５２は、インターネット網１に接続して通信を行うためのものであり、一般に使用されているＬＡＮボードである。ここでは、ＬＡＮインタフェースにおけるレイヤ２相当の処理を行う。記憶部５３は、サーバに内蔵された磁気ディスクあるいは光ディスクなどにより実現されるメモリ装置である。これは、ネットワークの規模によってはディスクサーバとして独立な装置で構成される場合もある。一般には記憶部５３は、ミラーリング、デュプレクシングなどの既存のフォルトトレランス機能により信頼性の向上を図っている。
【００２６】
ユーザインタフェース部５４は、通常のサーバと同様に、ディスプレイ、キーボード、マウスなどから構成される。中央制御部５１は、実現されるアプリケーションとして、例えば帯域制御機能５１４，網管理機能５１３、呼処理機能５１２を有する。帯域制御機能５１４は、メディアゲートウェイ４−ＶｏＩＰゲートウェイ３間の通信帯域の管理を実現している。網管理機能５１３は、ＩＴＵ−ＴＨ３２３標準などの定められたゲートウェイの登録処理、他のゲートキーパーとの間でのゲートウェイの属性情報の送受信などの標準に定められた機能を実現する。呼処理機能５１２は、ＶｏＩＰゲートウェイ３あるいはメディアゲートウェイ４からのアドレス問い合わせ（ＡＲＱ）を受信して着信側のゲートウェイを選択するものである。
【００２７】
ここで、発信側のＶｏＩＰゲートウェイ３（あるいはメディアゲートウェイ４）からＡＲＱを受信したときには呼処理機能５１２内の認証キー生成機能５１２１で認証キーを生成し、生成した認証キーをＡＣＦメッセージ中の該当箇所に設定して信号送信する。認証キーはＡＣＦメッセージ中の該当箇所にて設定されているメッセージ長分の文字数にて、アルファベット及び０〜９の数字の組み合わせをランダムに設定することによって生成する。
【００２８】
以下、本実施の形態の作用の一例について、図２のフローチャートを参照しながら説明する。図２は、本実施の形態における呼接続手順の一例を示すフローチャートである。
【００２９】
ＩＰ電話端末６が発呼をすると、ＩＰ電話端末６を収容するＶｏＩＰゲートウェイ３がゲートキーパー５へＡＲＱを送信する（ステップＳ０１）。ゲートキーパー５でＡＲＱを受信すると、認証キーを生成する（ステップＳ０２）。次に、認証キーを付加したＡＣＦをＶｏＩＰゲートウェイ３とメディアゲートウェイ４の双方へ送信する（ステップＳ０３、ステップＳ０４）。ＶｏＩＰゲートウェイ３はゲートキーパー５から送信されたＡＣＦを受信後、付与された認証キーを呼設定信号に付与し（ステップＳ０５）、メディアゲートウェイ４に対して呼設定信号を送信する（ステップＳ０７）。
【００３０】
メディアゲートウェイ４ではゲートキーパー５からのＡＣＦあるいは、ＶｏＩＰゲートウェイ３からの呼設定信号を受信した時点でタイマを起動する（ステップＳ０６）。タイマの設定時間はユーザによって変更できる。タイマがタイムアウトする前に未受信のＡＣＦあるいは呼設定信号を受信し、ゲートキーパー５からのＡＣＦと、ＶｏＩＰゲートウェイ３からの呼設定信号の両方を受信した時点でメディアゲートウェイ４は認証キーの比較を行う（ステップＳ０８）。認証キーが同一であれば呼接続手順を継続する（ステップＳ１０）。
【００３１】
一方、認証キーが同一でない場合は、発信元に対して呼切断信号を送信する（ステップＳ０９）。
【００３２】
このように、本実施の形態によると、ゲートキーパー５を経ずに呼接続を行おうとする悪意呼を排除することができ、たとえば一般の公衆電話網等の公衆通信網２の回線リソース等が不正に使用されることを防ぐことができる。
【００３３】
図８は、本実施の形態における呼接続手順の変形例を示すフローチャートである。
【００３４】
この図８の例では、呼接続手順において、ゲートキーパー５は、発信側のＶｏＩＰゲートウェイ３にのみ、認証キーを含むＡＣＦを送信し、受信側のメディアゲートウェイ４では、ゲートキーパー５におけるのと同一の生成アルゴリズムを用いて認証キーを生成し、この自装置内で生成した認証キーと、ＶｏＩＰゲートウェイ３からの呼設定信号に含まれる認証キーとを照合し、照合結果の一致／不一致を判定することで、ステップＳ０８での認証処理を行うところが、上述の図２の場合と異なっている。
【００３５】
この場合、ゲートキーパー５から受信側のメディアゲートウェイ４への認証キーの送信処理が不要となり、ゲートキーパー５およびインターネット網１の負荷軽減と悪意呼の排除によるセキュリティ向上とを実現することができる、という利点がある。
【００３６】
本願の特許請求の範囲に記載された発明を見方を変えて表現すれば以下の通りである。
【００３７】
（１）既存の情報通信技術及び情報通信システムを有し、インターネット網上にメディアゲートウェイ、ＶｏＩＰゲートウェイ、ゲートキーパー、ＩＰ電話端末を各１台以上具備し、公衆通信網に一般電話端末を１台以上接続し、前記ＩＰ電話端末−ＩＰ電話端末間およびＩＰ電話端末−一般電話端末間の通信における呼接続手順中において、前記ゲートキーパーは認証キーを生成して前記認証キーをアドレス解決信号中に設定して送信し、発信側の前記メディアゲートウェイあるいはＶｏＩＰゲートウェイは前記ゲートキーパーから受信したアドレス解決信号から認証キーを取り出して呼接続信号中に設定して呼接続信号を着信側の前記メディアゲートウェイあるいはＶｏＩＰゲートウェイに送信し、着信側の前記メディアゲートウェイあるいはＶｏＩＰゲートウェイは前記ゲートキーパーから受信したアドレス解決信号及び発信側の装置から受信した呼接続信号から認証キーを取り出し、それぞれの認証キーを比較することによって、前記ゲートキーパーを経ずに呼接続を行おうとする悪意呼を排除し、不正な回線リソースの使用を防止することを可能とするインターネット電話システム。
【００３８】
（２）項目（１）に記載のインターネット電話システムにおいて、メディアゲートウェイ及びＶｏＩＰゲートウェイに呼の着信時にゲートキーパーから送信されたアドレス解決信号および発信側装置から送信された呼接続信号を受信し、前記アドレス解決信号および呼接続信号から認証キーを抽出し、抽出したそれぞれの認証キーを認証・比較し、認証結果がＯＫの場合は呼接続手順を継続し、認証結果がＮＧの場合は呼接続手順を中断する機能を有するメディアゲートウェイおよびＶｏＩＰゲートウェイ。
【００３９】
（３）項目（１）に記載のインターネット電話システムにおいて、アドレス解決信号及び呼接続信号に対してゲートキーパーにて生成した認証キーを追加することによって着信側装置にて認証キーの認証を可能とするアドレス解決信号及び呼接続信号。
【００４０】
以上本発明者によってなされた発明を実施の形態に基づき具体的に説明したが、本発明は前記実施の形態に限定されるものではなく、その要旨を逸脱しない範囲で種々変更可能であることはいうまでもない。
【００４１】
【発明の効果】
インターネット電話システムにおける不正アクセス（悪意呼）の排除を実現することができる。
【図面の簡単な説明】
【図１】本発明の一実施の形態であるインターネット電話システムの構成図である。
【図２】本発明の一実施の形態であるインターネット電話システムにおける悪意呼を排除するための呼接続手順の一例を示すフローチャートである。
【図３】本発明の一実施の形態であるインターネット電話システムにおけるＡＣＦメッセージのフォーマットの例を示す概念図である。
【図４】本発明の一実施の形態であるインターネット電話システムにおけるＳｅｔｕｐメッセージのフォーマットの例を示す概念図である。
【図５】本発明の一実施の形態であるインターネット電話システムにおけるメディアゲートウェイの機能ブロックの例を示すブロック図である。
【図６】本発明の一実施の形態であるインターネット電話システムにおけるＶｏＩＰゲートウェイの機能ブロックの例を示すブロック図である。
【図７】本発明の一実施の形態であるインターネット電話システムにおけるゲートキーパーの機能ブロックの例を示すブロック図である。
【図８】本発明の一実施の形態であるインターネット電話システムにおける悪意呼を排除するための呼接続手順の変形例を示すフローチャートである。
【符号の説明】
１…インターネット網、２…公衆通信網、３…ＶｏＩＰゲートウェイ（第１情報処理装置）、４…メディアゲートウェイ（第２情報処理装置）、５…ゲートキーパー（第３情報処理装置）、６…ＩＰ電話端末（第１電話端末）、７…一般電話端末（第２電話端末）、３１〜３８…ＶｏＩＰゲートウェイ機能ブロック、４１〜４９…メディアゲートウェイ機能ブロック、５１〜５４…ゲートキーパー機能ブロック、５１１〜５１４…ゲートキーパー上で動作するアプリケーションソフトウェア、５１２１…ゲートキーパー上で動作するアプリケーションソフトウェア内の機能。
【図１】
0003746713.tif 000002
【図２】
0003746713.tif 000003
【図３】
0003746713.tif 000004
【図４】
0003746713.tif 000005
【図５】
0003746713.tif 000006
【図６】
0003746713.tif 000007
【図７】
0003746713.tif 000008
【図８】
0003746713.tif 000009